(57)【要約】【課題】測位情報を用いてより精度の高い推定値を算出すること。【解決手段】推定値算出装置は、いずれかのエリアで測位した携帯端末の日別の数（Ａ）と、対象エリアで測位した携帯端末の日別の数（Ｂ）とを特定し、当該特定された数と、日別の人口（Ｃ）とを用いて、対象期間の対象エリアへの延べ滞在者数（Ｅ）を算出し、対象期間のいずれかの日に対象エリアで測位した携帯端末のユニーク数を対象期間のユニークユーザ数（Ｆ）として特定し、対象期間のユニークユーザ数（Ｆ）を、対象期間において携帯端末がいずれかのエリアで測位可能な状態にあった期間の割合に応じて補正して対象期間の補正後ユニークユーザ数（Ｉ）を算出し、対象期間の補正後ユニークユーザ数（Ｉ）を用いて対象期間の１人当たりの対象エリアへの滞在回数（Ｘ）を算出する。【選択図】図２
2015029216.tif 000002
【特許請求の範囲】
【請求項１】
複数の第１の期間で構成される第２の期間についての携帯端末の測位情報を参照して、いずれかのエリアで測位した携帯端末の重複なし携帯端末数の前記第１の期間ごとの数（Ａ）と、対象エリアで測位した携帯端末の延べ携帯端末数の前記第１の期間ごとの数（Ｂ）とを特定し、当該特定された数と、前記第１の期間ごとの人口（Ｃ）とを用いて、数式
Ｄ＝Ｂ×Ｃ／Ａ
により対象エリアへの前記第１の期間ごとの延べ滞在者数（Ｄ）を算出する手段と、
前記第２の期間に含まれる全ての前記第１の期間について、前記対象エリアへの前記第１の期間ごとの延べ滞在者数（Ｄ）を合算して、前記第２の期間の対象エリアへの延べ滞在者数（Ｅ）を算出する手段と、
前記測位情報を参照して、前記第２の期間中に対象エリアで測位した携帯端末の重複なし携帯端末数を前記第２の期間の重複なしユーザ数（Ｆ）として特定する手段と、
前記測位情報を参照して、前記第２の期間の重複なしユーザ数（Ｆ）を、前記第２の期間における、携帯端末がいずれかのエリアで測位可能な状態にあった期間の割合に応じて補正することにより、前記第２の期間の補正後重複なしユーザ数（Ｉ）を算出する手段と、
前記算出された前記第２の期間の対象エリアへの延べ滞在者数（Ｅ）と、前記第２の期間の補正後重複なしユーザ数（Ｉ）と、前記第２の期間に含まれる全ての前記第１の期間についての、前記第１の期間ごとの人口（Ｃ）の平均（Ｊ）と、いずれかのエリアで測位した携帯端末の重複なし携帯端末数の前記第１の期間ごとの数の前記第２の期間における平均（Ｋ）とを用いて、数式
Ｘ＝Ｅ／（Ｉ×Ｊ／Ｋ）
により前記第２の期間の１人当たりの対象エリアへの滞在回数（Ｘ）を算出する手段と
を備えたことを特徴とする推定値算出装置。
【請求項２】
前記第２の期間の補正後重複なしユーザ数（Ｉ）を算出する前記手段は、前記測位情報を参照して、前記第２の期間中に対象エリアで測位された携帯端末のそれぞれについて、当該携帯端末がいずれかのエリアで測位された前記第２の期間中の前記第１の期間の数を特定し、当該特定された第１の期間の数について、全ての当該携帯端末における平均値（Ｇ）を算出し、当該算出された値と、前記第２の期間の重複なしユーザ数（Ｆ）と、前記第２の期間に含まれる前記第１の期間の数（Ｈ）とを用いて、数式
Ｉ＝Ｆ×Ｇ／Ｈ
により前記第２の期間の補正後重複なしユーザ数（Ｉ）を算出することを特徴とする請求項１に記載の推定値算出装置。
【請求項３】
制御部を有する情報処理装置により実施される方法であって、
前記制御部が、複数の第１の期間で構成される第２の期間についての携帯端末の測位情報を参照して、いずれかのエリアで測位した携帯端末の重複なし携帯端末数の前記第１の期間ごとの数（Ａ）と、対象エリアで測位した携帯端末の延べ携帯端末数の前記第１の期間ごとの数（Ｂ）とを特定し、当該特定された数と、前記第１の期間ごとの人口（Ｃ）とを用いて、数式
Ｄ＝Ｂ×Ｃ／Ａ
により対象エリアへの前記第１の期間ごとの延べ滞在者数（Ｄ）を算出するステップと、
前記制御部が、前記第２の期間に含まれる全ての前記第１の期間について、前記対象エリアへの前記第１の期間ごとの延べ滞在者数（Ｄ）を合算して、前記第２の期間の対象エリアへの延べ滞在者数（Ｅ）を算出するステップと、
前記制御部が、前記測位情報を参照して、前記第２の期間中に対象エリアで測位した携帯端末の重複なし携帯端末数を前記第２の期間の重複なしユーザ数（Ｆ）として特定するステップと、
前記制御部が、前記測位情報を参照して、前記第２の期間の重複なしユーザ数（Ｆ）を、前記第２の期間における、携帯端末がいずれかのエリアで測位可能な状態にあった期間の割合に応じて補正することにより、前記第２の期間の補正後重複なしユーザ数（Ｉ）を算出するステップと、
前記制御部が、前記算出された前記第２の期間の対象エリアへの延べ滞在者数（Ｅ）と、前記第２の期間の補正後重複なしユーザ数（Ｉ）と、前記第２の期間に含まれる全ての前記第１の期間についての、前記第１の期間ごとの人口（Ｃ）の平均（Ｊ）と、いずれかのエリアで測位した携帯端末の重複なし携帯端末数の前記第１の期間ごとの数の前記第２の期間における平均（Ｋ）とを用いて、数式
Ｘ＝Ｅ／（Ｉ×Ｊ／Ｋ）
により前記第２の期間の１人当たりの対象エリアへの滞在回数（Ｘ）を算出するステップと
を備えたことを特徴とする推定値算出方法。
【請求項４】
コンピュータを、
複数の第１の期間で構成される第２の期間についての携帯端末の測位情報を参照して、いずれかのエリアで測位した携帯端末の重複なし携帯端末数の前記第１の期間ごとの数（Ａ）と、対象エリアで測位した携帯端末の延べ携帯端末数の前記第１の期間ごとの数（Ｂ）とを特定し、当該特定された数と、前記第１の期間ごとの人口（Ｃ）とを用いて、数式
Ｄ＝Ｂ×Ｃ／Ａ
により対象エリアへの前記第１の期間ごとの延べ滞在者数（Ｄ）を算出する手段、
前記第２の期間に含まれる全ての前記第１の期間について、前記対象エリアへの前記第１の期間ごとの延べ滞在者数（Ｄ）を合算して、前記第２の期間の対象エリアへの延べ滞在者数（Ｅ）を算出する手段、
前記測位情報を参照して、前記第２の期間中に対象エリアで測位した携帯端末の重複なし携帯端末数を前記第２の期間の重複なしユーザ数（Ｆ）として特定する手段、
前記測位情報を参照して、前記第２の期間の重複なしユーザ数（Ｆ）を、前記第２の期間における、携帯端末がいずれかのエリアで測位可能な状態にあった期間の割合に応じて補正することにより、前記第２の期間の補正後重複なしユーザ数（Ｉ）を算出する手段、
前記算出された前記第２の期間の対象エリアへの延べ滞在者数（Ｅ）と、前記第２の期間の補正後重複なしユーザ数（Ｉ）と、前記第２の期間に含まれる全ての前記第１の期間についての、前記第１の期間ごとの人口（Ｃ）の平均（Ｊ）と、いずれかのエリアで測位した携帯端末の重複なし携帯端末数の前記第１の期間ごとの数の前記第２の期間における平均（Ｋ）とを用いて、数式
Ｘ＝Ｅ／（Ｉ×Ｊ／Ｋ）
により前記第２の期間の１人当たりの対象エリアへの滞在回数（Ｘ）を算出する手段
として機能させるためのプログラム。
【発明の詳細な説明】
【技術分野】
【０００１】
本発明は、推定値を算出する技術に関する。
【背景技術】
【０００２】
従来、ＧＰＳ（Global Positioning System）衛星やネットワーク機器などから装置が受信した信号を用いて当該装置の位置を特定する技術が知られている。特許文献１には、ＷＬＡＮ（Wireless Local Area Network）アクセスポイントから送信された信号を用いて得られた測位情報から携帯端末の位置を特定する技術が開示されている。このような技術を用いることで、対象エリアに存在する携帯端末の数を特定し、測位情報を取得可能な携帯端末の所有率（＝測位情報を取得可能な携帯端末の数／人口）で、当該特定された携帯端末の数を割ることによって対象エリアに滞在する人の数の推定値を算出することが可能である。
【先行技術文献】
【特許文献】
【０００３】
【特許文献１】特開２０１１−２４７７３８号公報
【発明の概要】
【発明が解決しようとする課題】
【０００４】
しかしながら、上記の技術を用いて所定の対象期間中に対象エリアへ滞在した人の数の推定値を算出し、当該滞在者数の推定値を用いて対象期間の対象エリアへの平均滞在回数の推定値を算出すると、実際の値との間で大きな誤差を生じる場合がある。
【０００５】
例えば、測位情報を用いた算出の結果、対象期間に対象エリアで測位された携帯端末の延べ数（延べユーザ数）が１０００であり、対象期間に対象エリアで測位された携帯端末の重複なし携帯端末数（ユニークユーザ数）が１００であったとする。また、測位情報を取得可能な携帯端末の所有率が０．１であったとする。このとき、対象期間の対象エリアの滞在者の延べ数（延べ滞在者数）と、対象期間の対象エリアの滞在者の重複なし滞在者数（ユニーク滞在者数）は次のとおりである。
（延べ滞在者数）＝１０００÷０．１＝１００００（人）
（ユニーク滞在者数）＝１００÷０．１＝１０００（人）
【０００６】
このとき、延べ滞在者をユニーク滞在者数で割ることによって、次のように対象期間中に対象エリアへ滞在した人の平均滞在回数を算出することができる。
（平均滞在回数）＝１００００÷１０００＝１０（回）
【０００７】
しかしながら、一般に、ユーザのサービス加入状態は日々変化するため、測位情報を取得可能な携帯端末も日々変化する。従って、上記の例において、対象期間のうち、全ての日（例えば、９０日間）において測位可能な状態にあった携帯端末が存在しうる一方で、対象期間の一部分（例えば、２日間）しか測位可能な状態になかった携帯端末も存在しうる。このように対象期間内の時期によって測位情報を取得可能な携帯端末が異なるような状況において、上記のような方法により得られた平均滞在回数は、実際の値との間で大きな誤差を生じる可能性がある。
【０００８】
本発明は上記に鑑みてなされたものであり、その目的は、測位情報を用いてより精度の高い推定値を算出する技術を提供することにある。
【課題を解決するための手段】
【０００９】
本発明に係る推定値算出装置は、複数の第１の期間で構成される第２の期間についての携帯端末の測位情報を参照して、いずれかのエリアで測位した携帯端末の重複なし携帯端末数の前記第１の期間ごとの数（Ａ）と、対象エリアで測位した携帯端末の延べ携帯端末数の前記第１の期間ごとの数（Ｂ）とを特定し、当該特定された数と、前記第１の期間ごとの人口（Ｃ）とを用いて、数式  Ｄ＝Ｂ×Ｃ／Ａにより対象エリアへの前記第１の期間ごとの延べ滞在者数（Ｄ）を算出する手段と、前記第２の期間に含まれる全ての前記第１の期間について、前記対象エリアへの前記第１の期間ごとの延べ滞在者数（Ｄ）を合算して、前記第２の期間の対象エリアへの延べ滞在者数（Ｅ）を算出する手段と、前記測位情報を参照して、前記第２の期間中に対象エリアで測位した携帯端末の重複なし携帯端末数を前記第２の期間の重複なしユーザ数（Ｆ）として特定する手段と、前記測位情報を参照して、前記第２の期間の重複なしユーザ数（Ｆ）を、前記第２の期間における、携帯端末がいずれかのエリアで測位可能な状態にあった期間の割合に応じて補正することにより、前記第２の期間の補正後重複なしユーザ数（Ｉ）を算出する手段と、前記算出された前記第２の期間の対象エリアへの延べ滞在者数（Ｅ）と、前記第２の期間の補正後重複なしユーザ数（Ｉ）と、前記第２の期間に含まれる全ての前記第１の期間についての、前記第１の期間ごとの人口（Ｃ）の平均（Ｊ）と、いずれかのエリアで測位した携帯端末の重複なし携帯端末数の前記第１の期間ごとの数の前記第２の期間における平均（Ｋ）とを用いて、数式  Ｘ＝Ｅ／（Ｉ×Ｊ／Ｋ）  により前記第２の期間の１人当たりの対象エリアへの滞在回数（Ｘ）を算出する手段とを備えたことを特徴とする。
【００１０】
本発明に係る推定値算出方法は、制御部を有する情報処理装置において実施される方法であって、前記制御部が、複数の第１の期間で構成される第２の期間についての携帯端末の測位情報を参照して、いずれかのエリアで測位した携帯端末の重複なし携帯端末数の前記第１の期間ごとの数（Ａ）と、対象エリアで測位した携帯端末の延べ携帯端末数の前記第１の期間ごとの数（Ｂ）とを特定し、当該特定された数と、前記第１の期間ごとの人口（Ｃ）とを用いて、数式  Ｄ＝Ｂ×Ｃ／Ａにより対象エリアへの前記第１の期間ごとの延べ滞在者数（Ｄ）を算出するステップと、前記制御部が、前記第２の期間に含まれる全ての前記第１の期間について、前記対象エリアへの前記第１の期間ごとの延べ滞在者数（Ｄ）を合算して、前記第２の期間の対象エリアへの延べ滞在者数（Ｅ）を算出するステップと、前記制御部が、前記測位情報を参照して、前記第２の期間中に対象エリアで測位した携帯端末の重複なし携帯端末数を前記第２の期間の重複なしユーザ数（Ｆ）として特定するステップと、前記制御部が、前記測位情報を参照して、前記第２の期間の重複なしユーザ数（Ｆ）を、前記第２の期間における、携帯端末がいずれかのエリアで測位可能な状態にあった期間の割合に応じて補正することにより、前記第２の期間の補正後重複なしユーザ数（Ｉ）を算出するステップと、前記制御部が、前記算出された前記第２の期間の対象エリアへの延べ滞在者数（Ｅ）と、前記第２の期間の補正後重複なしユーザ数（Ｉ）と、前記第２の期間に含まれる全ての前記第１の期間についての、前記第１の期間ごとの人口（Ｃ）の平均（Ｊ）と、いずれかのエリアで測位した携帯端末の重複なし携帯端末数の前記第１の期間ごとの数の前記第２の期間における平均（Ｋ）とを用いて、数式  Ｘ＝Ｅ／（Ｉ×Ｊ／Ｋ）により前記第２の期間の１人当たりの対象エリアへの滞在回数（Ｘ）を算出するステップとを備えたことを特徴とする。
【００１１】
本発明に係るプログラムは、コンピュータを、複数の第１の期間で構成される第２の期間についての携帯端末の測位情報を参照して、いずれかのエリアで測位した携帯端末の重複なし携帯端末数の前記第１の期間ごとの数（Ａ）と、対象エリアで測位した携帯端末の延べ携帯端末数の前記第１の期間ごとの数（Ｂ）とを特定し、当該特定された数と、前記第１の期間ごとの人口（Ｃ）とを用いて、数式  Ｄ＝Ｂ×Ｃ／Ａにより対象エリアへの前記第１の期間ごとの延べ滞在者数（Ｄ）を算出する手段、前記第２の期間に含まれる全ての前記第１の期間について、前記対象エリアへの前記第１の期間ごとの延べ滞在者数（Ｄ）を合算して、前記第２の期間の対象エリアへの延べ滞在者数（Ｅ）を算出する手段、前記測位情報を参照して、前記第２の期間中に対象エリアで測位した携帯端末の重複なし携帯端末数を前記第２の期間の重複なしユーザ数（Ｆ）として特定する手段、前記測位情報を参照して、前記第２の期間の重複なしユーザ数（Ｆ）を、前記第２の期間における、携帯端末がいずれかのエリアで測位可能な状態にあった期間の割合に応じて補正することにより、前記第２の期間の補正後重複なしユーザ数（Ｉ）を算出する手段、前記算出された前記第２の期間の対象エリアへの延べ滞在者数（Ｅ）と、前記第２の期間の補正後重複なしユーザ数（Ｉ）と、前記第２の期間に含まれる全ての前記第１の期間についての、前記第１の期間ごとの人口（Ｃ）の平均（Ｊ）と、いずれかのエリアで測位した携帯端末の重複なし携帯端末数の前記第１の期間ごとの数の前記第２の期間における平均（Ｋ）とを用いて、数式  Ｘ＝Ｅ／（Ｉ×Ｊ／Ｋ）により前記第２の期間の１人当たりの対象エリアへの滞在回数（Ｘ）を算出する手段として機能させることを特徴とする。
【００１２】
また、本発明のプログラムは、ＣＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【発明の効果】
【００１３】
本発明によれば、測位情報を用いてより精度の高い推定値を算出する技術を提供することができる。
【図面の簡単な説明】
【００１４】
【図１】一実施形態における推定値算出システムの構成を示す概念図である。
【図２】一実施形態における推定値算出装置の機能構成を示すブロック図である。
【図３】一実施形態において、推定値算出装置に記憶された情報の構成を示す図である。
【図４】一実施形態において、対象期間の１人当たりの対象エリアへの滞在回数の推定値の算出方法を説明するための図である。
【図５】一実施形態における推定値算出装置で実施される処理を示すフローチャートである。
【発明を実施するための形態】
【００１５】
以下、本発明の実施形態について、図面を参照しつつ詳細に説明する。ただし、発明の範囲をこれらに限定するものではない。
【００１６】
図１を参照して、一実施形態に係る推定値算出システムの構成について説明する。推定値算出システム１は、推定値算出装置１０及び複数の携帯端末２０などの情報処理装置を主に備える。推定値算出装置１０と複数の携帯端末２０は、ネットワークＮを介して相互に通信することができる。なお、図１では、３つの携帯端末２０が記載されているが、推定値算出装置１０と通信可能な携帯端末２０の数は、任意である。
【００１７】
推定値算出装置１０は、携帯端末２０の測位情報を用いて任意のエリアに存在する携帯端末２０の数を特定し、特定された携帯端末２０の数に基づいて任意のエリアの滞在者数の推定値を算出するなど、各種の処理を行う装置である。推定値算出装置１０による処理の詳細は、後述するとおりである。
【００１８】
推定値算出装置１０は、ハードウェア構成として、制御部１１、通信部１４、及び記憶部１５を主に備える。制御部１１は、ＣＰＵ（Ｃｅｎｔｒａｌ  Ｐｒｏｃｅｓｓｉｎｇ  Ｕｎｉｔ）１２及びメモリ１３を主に備えて構成される。推定値算出装置１０は、専用又は汎用のサーバ・コンピュータなどの情報処理装置を用いて実現することができ、例えば、ＣＰＵ１２がメモリ１３等に格納された所定のプログラムを実行することにより、各種の機能実現手段として機能する。なお、推定値算出装置１０は、単一の情報処理装置より構成されるものであっても、ネットワーク上に分散した複数の情報処理装置より構成されるものであってもよい。
【００１９】
制御部１１において、ＣＰＵ１２は、記憶部１５等に記憶されたプログラムをメモリ１３に展開して実行することにより、推定値算出装置１０が備える各種構成の動作を制御し、また、各種処理の実行を制御する。制御部１１において実行される処理の詳細は後述する。
【００２０】
通信部１４は、ネットワークＮを介して携帯端末２０等の各種情報処理装置と通信するための通信インタフェースである。通信部１４は、例えば、携帯端末２０からの測位情報を受信する。
【００２１】
記憶部１５は、ハードディスク等の記憶装置によって構成される。記憶部１５は、制御部１１における処理の実行に必要な各種プログラムや各種の情報を記憶する。記憶部１５に記憶されている情報の具体例については後述する。
【００２２】
ネットワークＮは、推定値算出装置１０と携帯端末２０との間で情報を送受信するための通信回線である。例えば、インターネット、ＬＡＮ、専用線、パケット通信網、電話回線、企業内ネットワーク、その他の通信回線、それらの組み合わせ等のいずれであってもよく、有線であるか無線であるかを問わない。
【００２３】
携帯端末２０は、例えば、携帯電話機、スマートフォン、ＰＤＡ（Personal Digital Assistants）、パーソナルコンピュータなどの現在位置を測位した測位情報を所定時間間隔又は任意のタイミングでアップロードする機能を備えた情報端末を適用することができる。携帯端末２０は、図示しないが、主制御部、通信部、表示部、操作部、記憶部、測位処理部などの各種機能実現手段を主に備える。
【００２４】
図２を参照して、一実施形態に係る推定値算出装置１０の機能構成を説明する。推定値算出装置１０は、主な機能構成として、第１の期間別延べ滞在者数算出部１１１、第２の期間延べ滞在者数算出部１１２、ユニークユーザ数算出部１１３、ユニークユーザ数補正部１１４、滞在回数算出部１１５、及びデータベース１２０を主に備える。これらの機能は、例えば、制御部１１において、ＣＰＵ１２が、記憶部１５等に記憶されたプログラムをメモリ１３に展開して実行することにより実現される。
【００２５】
第１の期間別延べ滞在者数算出部１１１は、複数の第１の期間（例えば、日）で構成される第２の期間（例えば、月）についての携帯端末２０の測位情報を参照して、第２の期間における所定の対象エリアへの第１の期間ごとの延べ滞在者数（推定値）を算出する。具体的には、第１の期間別延べ滞在者数算出部１１１は、まず、データベース１２０に記憶された携帯端末２０の測位情報及び地図情報を参照して、第２の期間において、いずれかのエリアで測位した携帯端末の重複なし携帯端末数の第１の期間ごとの数（Ａ）と、対象エリアで測位した携帯端末の延べ携帯端末数の第１の期間ごとの数（Ｂ）とを特定する。第１の期間別延べ滞在者数算出部１１１は、当該特定された数と、複数の第１の期間における第１の期間ごとの人口（Ｃ）とを用いて、次の式（１）により対象エリアへの第１の期間ごとの延べ滞在者数（Ｄ）を算出する。
Ｄ＝Ｂ×Ｃ／Ａ        （１）
【００２６】
ここで、本実施形態において、第１の期間ごとの人口（Ｃ）は、全国の人口や、東京都の人口など、第１の期間ごとの特定の地域についての人口を示す。なお、第１の期間ごとの正確な人口の情報（例えば、日別の日本の人口情報）を得ることは困難である場合があり、また、人口の値は大きく変動するものではない。従って、対象エリアへの第１の期間ごとの延べ滞在者数（Ｄ）の算出のために、第１の期間ごとの人口（Ｃ）として、全ての第１の期間について、任意に定めた同じ値の人口を用いてもよい。人口の情報は、データベース１２０に記憶しておいてもよいし、外部装置から取得してもよい。
【００２７】
また、本実施形態においてエリアとは、緯度経度に基づいて地図を分割して得られる複数の分割領域であり、エリアの形状やサイズを仕様や設計に応じて任意に設定することができる。例えば、メッシュ領域の形状は、四角形、六角形、ひし形等の多角形や、円等の曲線で囲まれた領域とすることができる。また、エリアのサイズは一定でなくてもよい。例えば、都市部のエリアはより小さく（細かく）するようにしてもよい。また、エリアを行政区画の形状にしてもよい。また、人口統計情報によって地域毎にエリアのサイズを変えたり（例えば人口が多い地域のエリアは小さくする。）、市区町村の分類、宅地種別、日常圏（日常の生活圏）の情報などに基づいてサイズを設定してもよい。設定されたエリアの情報は、地図情報と共にデータベース１２０に記憶されている。
【００２８】
第２の期間延べ滞在者数算出部１１２は、第２の期間における対象エリアへの延べ滞在者数（Ｅ）（推定値）を算出する。具体的には、第２の期間延べ滞在者数算出部１１２は、第２の期間に含まれる全ての第１の期間について、第１の期間別延べ滞在者数算出部１１１により算出された対象エリアへの第１の期間ごとの延べ滞在者数（Ｄ）を合算して、第２の期間の対象エリアへの延べ滞在者数（Ｅ）を算出する。
【００２９】
ユニークユーザ数算出部１１３は、データベース１２０に記憶された携帯端末２０の測位情報及び地図情報を参照して、第２の期間に対象エリアで測位した携帯端末２０のユニーク数（重複なし携帯端末数）を第２の期間の重複なしユーザ数（Ｆ）（ユニークユーザ数）として特定する。対象エリアで測位した携帯端末２０のユニーク数とは、対象エリアで測位した携帯端末２０のうち、重複する携帯端末２０を排除した携帯端末２０の数である。
【００３０】
ユニークユーザ数補正部１１４は、ユニークユーザ数算出部１１３により算出された第２の期間の重複なしユーザ数（Ｆ）を、第２の期間における、携帯端末２０がいずれかのエリアで測位可能な状態にあった期間（すなわち、携帯端末２０がユーザによって契約されていたことにより、当該携帯端末２０の測位情報を取得可能であった期間）の割合に応じて補正することによって、第２の期間の補正後重複なしユーザ数（Ｉ）を算出する。具体的には、ユニークユーザ数補正部１１４は、まず、データベース１２０に記憶された測位情報及び地図情報を参照して、第２の期間中に対象エリアで測位された携帯端末２０を特定し、当該特定された携帯端末２０のそれぞれについて、当該携帯端末２０がいずれかのエリアで測位された第２の期間中の第１の期間の数を特定し、当該特定された第１の期間の数について、全ての当該携帯端末２０における平均値（Ｇ）を算出する。ユニークユーザ数補正部１１４は、当該算出された値と、第２の期間の重複なしユーザ数（Ｆ）と、第２の期間に含まれる第１の期間の数（Ｈ）とを用いて、次の式（２）により第２の期間の補正後重複なしユーザ数（Ｉ）を算出する。
Ｉ＝Ｆ×Ｇ／Ｈ        （２）
【００３１】
滞在回数算出部１１５は、第２の期間の１人当たりの対象エリアへの滞在回数（推定値）を算出する。具体的には、滞在回数算出部１１５は、第２の期間の対象エリアへの延べ滞在者数（Ｅ）と、第２の期間の補正後重複なしユーザ数（Ｉ）と、第２の期間に含まれる全ての第１の期間についての、第１の期間ごとの人口（Ｃ）の平均（すなわち、第２の期間の平均人口）（Ｊ）と、いずれかのエリアで測位した携帯端末の重複なし携帯端末数の第１の期間ごとの数（Ａ）の第２の期間における平均（Ｋ）とを用いて、次の式（３）により第２の期間の１人当たりの対象エリアへの滞在回数（Ｘ）（推定値）を算出する。
Ｘ＝Ｅ／（Ｉ×Ｊ／Ｋ）        （３）
【００３２】
以上のように、本実施形態によれば、対象期間（第２の期間）の１人当たりの対象エリアへの滞在回数の推定値を算出するために、第１の期間の対象エリア延べ滞在者数を合算して、対象期間の対象エリアへの延べ滞在者数を算出する。また、携帯端末２０が対象期間中に測位可能な状態にあった期間の割合を考慮して対象期間のユニークユーザ数を補正して、対象期間の１人当たりの対象エリアへの滞在回数の推定値を算出する。そのため、より精度の高い推定値を算出することができる。
【００３３】
データベース１２０は、推定値算出装置１０において実行される上記の処理に必要な情報、及び当該処理により生成された情報など、各種情報を記憶する。データベース１２０は、例えば、測位情報、地図情報、及び推定値情報を記憶している。
【００３４】
図３は、データベース１２０に記憶された測位情報の例を示している。この例では、測位情報は、携帯端末２０が測位された時刻である測位時刻、携帯端末２０の識別情報である携帯端末ＩＤ、携帯端末２０が測位された位置である測位位置（緯度、及び経度）の情報を含む。
【００３５】
次に、図４及び図５を参照して、推定値算出装置１０において実行される処理のフローの具体的な例を説明する。なお、以下に説明する処理フローに含まれる各処理ステップは、処理内容に矛盾を生じない範囲で、任意に順番を変更して又は並列に実行することができるとともに、各処理ステップ間に他のステップを追加してもよい。また、便宜上１ステップとして記載されているステップは、複数ステップに分けて実行することができる一方、便宜上複数ステップに分けて記載されているものは、１ステップとして把握することができる。また、各処理ステップは、制御部１１による制御により行われる。
【００３６】
ここでは、上記の第１の期間を１日単位とし、複数の第１の期間で構成される上記の第２の期間（対象期間）をある週（７日間）とする場合に、第２の期間（対象期間）の１人当たりの対象エリアへの滞在回数（Ｘ）（推定値）の算出方法の例について説明する。まず、図４のステップＳ１１において、第１の期間別延べ滞在者数算出部１１１は、まず、データベース１２０に記憶された情報のうち、複数の日（第１の期間）で構成される対象期間（第２の期間）についての携帯端末２０の測位情報及び地図情報を参照して、対象期間において、いずれかのエリアで測位した携帯端末の重複なし携帯端末数の日別の数（Ａ）と、対象エリアで測位した携帯端末の延べ携帯端末数の日別の数（Ｂ）とを特定する。第１の期間別延べ滞在者数算出部１１１は、当該特定された数と、日別の人口（Ｃ）とを用いて、上記の式（１）により対象エリアへの日別の延べ滞在者数（Ｄ）を算出する。
【００３７】
図５に示すように、この例において、７日間の日数とする対象期間（すなわち、７つの第１の期間を含む第２の期間）において、いずれかのエリアで測位された携帯端末２０として、携帯端末ａ、ｂ、ｃ、ｄが特定されたとする。（なお、説明を簡単にするために、この例において、当該特定された携帯端末２０の数を少なくしている。）また、図５には、いずれかのエリアで測位した携帯端末の重複なし携帯端末数の日別の数（Ａ）として、例えば、１日目は、７４１２１２個特定され、２日目は、７４１３１２個特定されたことが示されている。また、図５には、対象エリアで測位した携帯端末の延べ携帯端末数の日別の数（Ｂ）として、１日目は３つ特定され、２日目は２つ特定されたことが示されている。また、この例において、日別の人口（Ｃ）を対象期間中の全ての日において１．３億人とする。このとき、１日目の対象エリアへの延べ滞在者数（Ｄ1）は、次のように算出される。
Ｄ1＝３×１３０００００００／７４１２１２≒５２６（人）
対象期間中の他の日における対象エリアへの日別の延べ滞在者数（Ｄ）についても同様の方法により算出することができる。
【００３８】
次に、図４のステップＳ１２において、第２の期間延べ滞在者数算出部１１２は、対象期間に含まれる日についてステップＳ１１で算出された対象エリアへの日別の延べ滞在者数（Ｄ）を合算して、対象期間の対象エリアへの延べ滞在者数（Ｅ）を算出する。
【００３９】
図５の例では、対象期間の対象エリアへの延べ滞在者数（Ｅ）は、次のように算出される。
Ｅ＝５２６＋３５１＋３５１＋１７５＋３５１＋１７５＋３５１＝２２８０（人）
【００４０】
次に、図４のステップＳ１３において、ユニークユーザ数算出部１１３は、データベース１２０に記憶された携帯端末２０の測位情報を参照して、対象期間に対象エリアで測位した携帯端末２０のユニーク数を対象期間の重複なしユーザ数（Ｆ）として特定する。
【００４１】
図５の例では、対象期間に対象エリアで測位された携帯端末２０は、携帯端末ａ、ｂ、ｃ、ｄの４つであるため、重複なしユーザ数（Ｆ）は、４である。
【００４２】
次に、図４のステップＳ１４において、ユニークユーザ数補正部１１４は、まず、データベース１２０に記憶された情報を参照して、対象期間のいずれかの日に対象エリアで測位された携帯端末２０を特定し、当該特定された携帯端末２０のそれぞれについて、当該携帯端末２０が対象期間中にいずれかのエリアで測位された日数を特定し、当該特定された日数について、全ての当該携帯端末２０の平均値（Ｇ）を算出する。
【００４３】
図５の例では、前述のとおり、対象期間のいずれかの日に対象エリアで測位された携帯端末２０は、携帯端末ａ、ｂ、ｃ、ｄであり、携帯端末ａ、ｂ、ｃ、ｄが対象期間中にいずれかのエリアで測位された日数は、それぞれ、７、５、７、３であることが示されている。従って、対象期間中にいずれかのエリアで測位された日数の平均値（Ｇ）は、次のとおりである。
Ｇ＝（７＋５＋７＋３）÷４＝５．５
【００４４】
さらに、ユニークユーザ数補正部１１４は、当該算出された日数の平均値（Ｇ）と、対象期間の重複なしユーザ数（Ｆ）と、対象期間の日数（Ｈ）とを用いて、上記の式（２）により対象期間の補正後重複なしユーザ数（Ｉ）を算出する。
【００４５】
図５の例では、対象期間の補正後重複なしユーザ数（Ｉ）は、次のように算出される。
Ｉ＝４×５．５／７≒３．１４
【００４６】
次に、図４のステップＳ１５において、滞在回数算出部１１５は、対象期間の対象エリアへの延べ滞在者数（Ｅ）と、対象期間の補正後重複なしユーザ数（Ｉ）と、対象期間における人口の平均（Ｊ）と、いずれかのエリアで測位した携帯端末の重複なし携帯端末数の日別の数（Ａ）の対象期間における平均（Ｋ）とを用いて、上記の式（３）により対象期間の１人当たりの対象エリアへの滞在回数（Ｘ）を算出する。
【００４７】
図５の例では、対象期間において、人口の平均（Ｊ）は１．３億、いずれかのエリアで測位した携帯端末の重複なし携帯端末数の日別の数（Ａ）の対象期間における平均（Ｋ）は３２５．７であるため、対象期間の１人当たりの対象エリアへの滞在回数（Ｘ）は、次のように算出される。
Ｘ＝２２８０／（３．１４×１３０００００００／７４１３９２．４）≒４．１４（回）
【００４８】
以上のように、本実施形態によれば、対象期間の１人当たりの対象エリアへの滞在回数の推定値を算出するために、日別の対象エリア延べ滞在者数を合算して、対象期間の対象エリアへの延べ滞在者数を算出する。また、携帯端末２０が対象期間中に測位可能な状態にあった期間の割合を考慮して対象期間の重複なしユーザ数を補正して、対象期間の１人当たりの対象エリアへの滞在回数の推定値を算出する。そのため、より精度の高い推定値を算出することができる。
【００４９】
本発明は、上記した実施の形態に限定されるものではなく、本発明の要旨を逸脱しない範囲内において、他の様々な形で実施することができる。上記実施形態はあらゆる点で単なる例示にすぎず、限定的に解釈されるものではない。
【符号の説明】
【００５０】
１  推定値算出システム、１０  推定値算出装置、１１  制御部、１２  ＣＰＵ、１３  メモリ、１４  通信部、１５  記憶部、２０  携帯端末
【図１】
2015029216.tif 000003
【図２】
2015029216.tif 000004
【図３】
2015029216.tif 000005
【図４】
2015029216.tif 000006
【図５】
2015029216.tif 000007